(57)【要約】【課題】  簡易かつ耐震効果の高い耐震補強構造を提供する。【解決手段】  建築物の基礎（２８）と、その基礎（２８）に所定の間隔で上向きに固定された複数のアンカー（１８）と、それらのアンカー（１８）を貫通させた形で基礎（２８）の上面に沿って配置された木製の土台（２２）と、アンカー（１８）の上端部に固定された第１支持体（１２）と、土台（２２）の下面に固定された第２支持体（１６）と、アンカー（１８）に沿って第１支持体（１２）および第２支持体（１６）間に配置された圧縮バネ（１４）と、アンカー（１８）を貫通させた形で第２支持体（１６）および基礎（２８）間に配置された横揺れ吸収機構（３２）とを有することを特徴とする耐震補強構造。【選択図】  図１
2006225972.tif 000002
【特許請求の範囲】
【請求項１】
建築物の基礎（２８）と、その基礎（２８）に所定の間隔で上向きに固定された複数のアンカー（１８）と、それらのアンカー（１８）を貫通させた形で基礎（２８）の上面に沿って配置された木製の土台（２２）と、アンカー（１８）の上端部に固定された第１支持体（１２）と、土台（２２）の下面に固定された第２支持体（１６）と、アンカー（１８）に沿って第１支持体（１２）および第２支持体（１６）間に配置された圧縮バネ（１４）と、アンカー（１８）を貫通させた形で第２支持体（１６）および基礎（２８）間に配置された横揺れ吸収機構（３２）とを有することを特徴とする耐震補強構造。
【請求項２】
土台（２２）がアンカー（１８）と圧縮バネ（１４）の両方を貫通させるための穴（２２ａ）を有し、その土台（２２）の穴（２２ａ）の寸法が土台（２２）の幅の３分の１よりも大きく、かつ、第２支持体（１６）が、アンカー（１８）を貫通させるための穴（１６ａ）を有し、その第２支持体（１６）の穴（１６ａ）の寸法が土台（２２）の幅の３分の１よりも大きく、アンカー（１８）が土台（２２）の穴（２２ａ）と第２支持体（１６）の穴（１６ａ）と圧縮バネ（１４）の中で横方向に相対的に移動可能に構成されていることを特徴とする請求項１に記載の耐震補強構造。
【請求項３】
横揺れ吸収機構（３２）が多数のボール（３４）の転動により基礎（２８）に対する土台（２２）および第２支持体（１６）の横方向の揺れを吸収する構成になっていることを特徴とする請求項１または２に記載の耐震補強構造。
【請求項４】
横揺れ吸収機構（３２）が、第２支持体（１６）に対向して基礎（２８）の上面に配置された基礎上面固定板（３６）と、その基礎上面固定板（３６）の上面に設けられた多数のボール（３４）を含み、それらのボール（３４）が第２支持体（１６）の下面および基礎上面固定板（３６）の上面間に配置されていることを特徴とする請求項３に記載の耐震補強構造。
【請求項５】
アンカー（１８）がアンカーボルトとして構成されていて、そのアンカーボルトに対するナット（２６）の固定位置を調整することにより、圧縮バネ（１４）の圧縮の度合が調整されていることを特徴とする請求項１〜４のいずれか１項に記載の耐震補強構造。
【発明の詳細な説明】
【技術分野】
【０００１】
本発明は、建築物のための耐震補強構造に関する。
【背景技術】
【０００２】
従来、耐震効果を高めるため、建築物には種々の耐震補強構造が採用されている。
【０００３】
特許文献１には、土台をナット状の固定具とステンレス板で挟持し、ステンレス板の下面にテフロン（登録商標）シートを貼り付けて土台を水平移動させるようにした木造建築物における免震構造が示されている。
【０００４】
特許文献２には、土台をゴム、合成樹脂、金属、合成樹脂と金属の複合からなる免震支持具とバネやゴム等の弾性変形可能な免震補助具で挟持して振動を吸収するようにした建築用免震補助具が示されている。
【特許文献１】特開平１０−６１２５１号公報
【特許文献２】特開２００５−１６２７８号公報
【発明の開示】
【発明が解決しようとする課題】
【０００５】
しかしながら、従来の免震構造は、種々の問題があった。
【０００６】
特許文献１に記載された免震構造は、バネ部分を有するアンカーを特殊形状に加工した布基礎に埋設したものであり、構造が複雑であった。
【０００７】
特許文献２に記載された建築用免震補助具は、バネやゴム等の免震補助具で土台を支持していたため、横揺れに対する免震機能が十分ではなかった。
【０００８】
そこで本発明は、簡易かつ耐震効果の高い耐震補強構造を提供することを目的としている。
【課題を解決するための手段】
【０００９】
本発明の解決手段を例示すると、以下のとおりである。
【００１０】
（１）  建築物の基礎（２８）と、その基礎（２８）に所定の間隔で上向きに固定された複数のアンカー（１８）と、それらのアンカー（１８）を貫通させた形で基礎（２８）の上面に沿って配置された木製の土台（２２）と、アンカー（１８）の上端部に固定された第１支持体（１２）と、土台（２２）の下面に固定された第２支持体（１６）と、アンカー（１８）に沿って第１支持体（１２）および第２支持体（１６）間に配置された圧縮バネ（１４）と、アンカー（１８）を貫通させた形で第２支持体（１６）および基礎（２８）間に配置された横揺れ吸収機構（３２）とを有することを特徴とする耐震補強構造。
【００１１】
（２）  土台（２２）がアンカー（１８）と圧縮バネ（１４）の両方を貫通させるための穴（２２ａ）を有し、その土台（２２）の穴（２２ａ）の寸法が土台（２２）の幅の３分の１よりも大きく、かつ、第２支持体（１６）が、アンカー（１８）を貫通させるための穴（１６ａ）を有し、その第２支持体（１６）の穴（１６ａ）の寸法が土台（２２）の幅の３分の１よりも大きく、アンカー（１８）が土台（２２）の穴（２２ａ）と第２支持体（１６）の穴（１６ａ）と圧縮バネ（１４）の中で横方向に相対的に移動可能に構成されていることを特徴とする前述の耐震補強構造。
【００１２】
（３）  横揺れ吸収機構（３２）が多数のボール（３４）の転動により基礎（２８）に対する土台（２２）および第２支持体（１６）の横方向の揺れを吸収する構成になっていることを特徴とする前述の耐震補強構造。
【００１３】
（４）  横揺れ吸収機構（３２）が、第２支持体（１６）に対向して基礎（２８）の上面に配置された基礎上面固定板（３６）と、その基礎上面固定板（３６）の上面に設けられた多数のボール（３４）を含み、それらのボール（３４）が第２支持体（１６）の下面および基礎上面固定板（３６）の上面間に配置されていることを特徴とする前述の耐震補強構造。
【００１４】
（５）  アンカー（１８）がアンカーボルトとして構成されていて、そのアンカーボルトに対するナット（２６）の固定位置を調整することにより、圧縮バネ（１４）の圧縮の度合が調整されていることを特徴とする前述の耐震補強構造。
【発明の効果】
【００１５】
本発明によれば、簡易かつ耐震効果の高い耐震補強構造を提供することができる。とくに、圧縮バネをボール及び基礎上面固定板付近まで延在させて十分な長さの圧縮バネを用いることができ、さらに圧縮バネが土台の上部から大きく突出することを防止でき、耐震補強構造をコンパクトに構成できる。
【００１６】
土台がアンカーと圧縮バネの両方を貫通させるための穴を有し、その土台の穴の寸法が土台の幅の３分の１よりも大きく、かつ、第２支持体が、アンカーを貫通させるための穴を有し、その第２支持体の穴の寸法が土台の幅の３分の１よりも大きく、アンカーが土台の穴と第２支持体の穴と圧縮バネの中で横方向に相対的に移動可能に構成されていると、第２支持体が横方向に大きく揺れ動いてもアンカーに横方向の力が直接加わることがなく、アンカーの損傷を防止できる。
【００１７】
横揺れ吸収機構が多数のボールの転動により基礎に対する土台および第２支持体の横方向の揺れを吸収する構成になっていると、横（水平）方向の大きな揺れをも吸収可能である。
【００１８】
横揺れ吸収機構が、第２支持体に対向して基礎の上面に配置された基礎上面固定板と、その基礎上面固定板の上面に設けられた多数のボールを含み、それらのボールが第２支持体の下面および基礎上面固定板の上面間に配置されていると、横（水平）方向の大きな揺れをも吸収可能である。
【００１９】
アンカーがアンカーボルトとして構成されていて、そのアンカーボルトに対するナットの固定位置を調整することにより、圧縮バネの圧縮の度合が調整されていると、上下方向の揺れの度合いを調整可能である。
【発明を実施するための最良の形態】
【００２０】
本発明の１つの実施形態によると、耐震補強構造は、建築物のコンクリート製の基礎と、その基礎に所定の間隔で上向き（鉛直方向）に固定された複数のアンカーと、それらのアンカーを貫通させた形で基礎の上面に沿って配置された木製の土台と、アンカーの上端部に固定されたプレート状の第１支持体と、アンカーの貫通位置で土台の下面に固定されたプレート状の第２支持体と、各アンカーに沿って第１支持体および第２支持体間に鉛直方向に配置された圧縮バネと、アンカーを貫通させた形で第２支持体および基礎間に配置された横揺れ吸収機構とを有する。
【００２１】
好ましくは、土台がアンカーと圧縮バネの両方を貫通させるための大きな円形の穴を有し、その土台の穴の寸法が土台の幅の３分の１（好ましくは半分）よりも大きく、かつ、第２支持体が、アンカーを貫通させるための大きな円形の穴を有し、その第２支持体の穴の寸法が土台の幅の３分の１（好ましくは半分）よりも大きい。その結果、アンカーが土台の穴と第２支持体の穴と圧縮バネの中で横方向に相対的に十分に移動可能に構成されている。好ましくは、圧縮バネの直径は、土台の穴の直径よりも小さく、第２支持体の穴の直径よりも大きい。
【００２２】
好ましくは、横揺れ吸収機構が、多数のボールの転動により基礎に対する土台および第２支持体の横方向の揺れを吸収する構成にする。たとえば、横揺れ吸収機構は、第２支持体に対向して配置された基礎上面固定板と、その基礎上面固定板の上面に粘着テープを介して設けられた多数のボールを含み、それらのボールが第２支持体の下面および基礎上面固定板の上面間に配置されるようにする。
【００２３】
好ましくは、アンカーはアンカーボルトとして構成されていて、そのアンカーボルトに対するナットの固定位置を調整することにより、圧縮バネの圧縮の度合が調整されている。
【００２４】
また、本発明の別の形態による耐震補強構造は、第１支持体と、第１支持体の下面に配置されて上下方向に延在した圧縮バネと、圧縮バネの下端に配置された第２支持体と、第１支持体に固定されて圧縮バネと第２支持体を通過するとともに上下方向に延在したアンカーを有する。アンカーは建築物の基礎に対して第１支持体を固定するために使用され、第２支持体は建築物の土台を支持するために使用され、圧縮バネが第２支持体の上下方向の揺れを吸収する構成になっている。さらに、圧縮バネの下方がボールを含む横揺れ吸収機構として構成されていて、横揺れ吸収機構がボールの転動により第２支持体の横方向の揺れを吸収する構成になっている。
【００２５】
第１支持体は、後述の実施例に示されるような鉄板やステンレス板で構成するのが好ましいが、他の材質の板や種々の形状の部材で構成することもできる。
【００２６】
好ましくは、第２支持体の上面が、土台を下方に引っ張りながら支持するために使用される。後述するように、第２支持体の上面に土台が載置されて固定され、土台が上方向に揺れた（跳ねた）場合に第２支持体が土台を下方に引っ張りながら支持する構成が好ましい。
【実施例】
【００２７】
以下、図面を参照して本発明の実施例を説明する。
【００２８】
図１は、本発明による耐震補強構造を建築物に適用した例を示す概略部分側断面図である。図２は、第１支持体の一例を示す上面図である。図３は、第２支持体の一例を示す上面図である。
【００２９】
耐震補強構造１０は、バネ固定板１２、圧縮バネ１４、土台下面固定板１６、アンカーボルト１８、土台２２、基礎２８、横揺れ吸収機構３２を有する。
【００３０】
バネ固定板１２は、本発明における第１支持体に対応しており、ステンレス製の板からなる。バネ固定板１２の中央には、アンカーボルト１８のための穴１２ａが設けられている。バネ固定板１２は、穴１２ａを介して後述するアンカーボルト１８の上端部に固定されている。
【００３１】
圧縮バネ１４は、アンカーボルト１８に沿ってバネ固定板１２および土台下面固定板１６間に配置されており、上下方向に延在した強化スプリングで構成されている。圧縮バネ１４は、バネ固定板１２と溶接するのが好ましい。寸法の一例を挙げると、長い圧縮バネ１４を用いた場合の基礎２８から圧縮バネ１４の上面までの長さｈ１は２１０ｍｍ、短い圧縮バネ（図示省略）を用いた場合の基礎２８から圧縮バネの上面までの長さｈ２は１５０ｍｍ、バネの直径は５５ｍｍである。
【００３２】
バネ固定板１２の下面には、バネ受２０が溶接により固定されていて、圧縮バネ１４の上端を囲んでいる。
【００３３】
圧縮バネ１４の下端には、土台下面固定板１６が配置されている。土台下面固定板１６は、本発明の第２支持体に対応しており、ステンレス製の板からなる。圧縮バネ１４は、土台下面固定板１６上の点線で示された円の内側の領域１６ｂに溶接するのが好ましい。
【００３４】
土台下面固定板１６は、ビス２４により土台２２の下面に固定されている。土台下面固定板１６の上面は、建築物の土台２２を下方に引っ張りながら支持するために使用される。土台下面固定板１６は、アンカーボルト１８を内部に収容するための又は貫通させるための穴１６ａを有する。アンカーボルト１８は、穴１６ａと圧縮バネ１４の内部で横方向に相対的に移動可能に構成されている。穴１６ａの寸法は、少なくとも土台下面固定板１６の横方向の揺れに対応できる程度の大きさであり、好ましくは土台下面固定板１６の穴１６ａの寸法が土台２２の幅の３分の１よりも大きい。寸法の一例を挙げると、穴１６ａの寸法ｄ２は４５ｍｍ、土台２２の幅ｗ１は１０５ｍｍ、土台下面固定板１６の縦の長さｗ３は１２０ｍｍ、横の長さｗ４は２５０ｍｍである。
【００３５】
土台２２は、アンカーボルト１８を貫通させた形で基礎２８の上面に沿って配置された木製の土台である。土台２２は、アンカーボルト１８と圧縮バネ１４の両方を貫通させるための穴２２ａを有している。土台２２の穴２２ａの寸法は土台２２の幅の３分の１よりも大きい。寸法の一例を挙げると、土台２２の穴２２ａの寸法ｄ１は６０ｍｍ、土台２２の幅ｗ１は１０５ｍｍ、土台の高さは１０５ｍｍである。
【００３６】
土台２２の上面には、土台上面補強板３０がビス２４により固定されている。土台上面補強板３０の中央に設けられた穴３０ａを圧縮バネ１４が通るようになっている。図１に示された実施例において土台上面補強板３０の設置は任意である。図４は、土台上面補強板の一例を示す上面図である。寸法の一例を挙げると、土台上面補強板３０の縦の長さｗ５は９０ｍｍ、横の長さｗ６は２００ｍｍ、穴３０ａの寸法ｄ４は６０ｍｍである。
【００３７】
アンカーボルト１８は、本発明のアンカーに対応しており、基礎２８に所定の間隔で上向きに複数固定されている。アンカーボルト１８は、更に、ナット２６を介してバネ固定板１２に固定されていて、圧縮バネ１４と土台下面固定板１６を通過するとともに上下方向に延在している。アンカーボルト１８は、建築物の基礎２８に対してバネ固定板１２を固定するために使用されている。アンカーボルト１８に対するナット２６の固定位置を調整することにより、圧縮バネ１４の圧縮の度合が調整されるようになっている。
【００３８】
土台下面固定板１６および基礎２８間には、アンカーボルト１８を貫通させた形で横揺れ吸収機構３２が配置されている。
【００３９】
横揺れ吸収機構３２は、多数のボール３４の転動により基礎２８に対する土台２２および土台下面固定板１６の横方向の揺れを吸収するものであり、土台下面固定板１６に対向して基礎２８の上面に配置された基礎上面固定板３６と、その基礎上面固定板３６の上面に設けられた多数のボール３４を含む。多数のボール３４は土台下面固定板１６の下面および基礎上面固定板３６の上面間に配置されている。
【００４０】
図５は、横揺れ吸収機構の一例を示す上面図である。
【００４１】
基礎上面固定板３６は、土台下面固定板１６に対向して配置されており、カールプラグ３８を介してビス４０により建築物の基礎２８に固定されている。
【００４２】
基礎上面固定板３６の上面には２つの矩形の枠４２が間隔を空けて設けられている。各枠４２内に多数のボール３４がボンド又は両面粘着テープにより接着した状態で配置されている。なお、ボール１４と土台下面固定板１６の間を同様に接着することも可能である。基礎上面固定板３６の中央には、アンカーボルト１８のための穴３６ａが設けられている。土台下面固定板１６と基礎上面固定板３６が相対的に移動すると、ボール３４が転動して土台下面固定板１６と基礎上面固定板３６の間の横方向の揺れを吸収するようになっている。なお、基礎上面固定板３６の下にゴムシートを設けるのが好ましい。寸法の一例を挙げると、基礎上面固定板３６の縦の長さｗ７は９０ｍｍ、横の長さｗ８は２００ｍｍ、基礎２８の幅は１５０ｍｍである。
【００４３】
図６は、本発明による耐震補強構造の使用例を示す概略側面図である。
【００４４】
一棟の建築物４４に複数の耐震補強構造１０が採用されている。すなわち、各耐震補強構造１０は、共通の土台２２および基礎２８を含んでいる。
【００４５】
なお、耐震補強構造には長い圧縮バネを用いるのが好ましいが、タタミの配置位置４６付近には、短い圧縮バネを用いた耐震補強構造（図示省略）を用いることもできる。短い圧縮バネを用いた耐震補強構造は、長い圧縮バネを用いた耐震補強構造と比べて高さが低いため、その上部がタタミ仕上り面５０を超えないようになっている。
【００４６】
建築物４４の柱５２の直下には、横揺れ吸収機構３２が独立して設けられている。これにより柱５２が基礎２８に安定して支持されるとともに柱５２の横方向の揺れにも対応できるようになっている。
【００４７】
図７及び図８は、建築物が上下方向に揺れた場合の耐震補強構造の作用の一例を示す。
【００４８】
図７に示すように、矢印ＵＰで示される上方向の力が基礎２８に加えられると、土台下面固定板１６は、基礎２８や土台２２等と共に上方向に移動する。
【００４９】
図８に示すように、図７に示された状態の後、矢印ＤＮで示される下方向の力が基礎２８に加えられると、又は矢印ＵＰで示される上方向の力が土台２８等に残っていると、基礎２８と土台２２の間隔が広がる。広がった間隔の間には、大きな空間Ｓが新たに形成される。このとき、土台下面固定板１６と基礎上面固定板３６が離れて耐震補強構造１０の圧縮バネが縮まることにより、土台下面固定板１６とこれに固定された土台２２の上下方向の揺れが吸収されるようになっている。
【００５０】
図９及び図１０は、建築物が横方向に揺れた場合の耐震補強構造の作用の一例を示す。
【００５１】
図９において、土台２２や基礎２８等は静止状態にある。図９及び図１０において圧縮バネ付近の構成は見やすくするため図示省略されている。
【００５２】
図１０に示すように、矢印Ａ又は矢印Ｂで示される右方向又は左方向の力が基礎２８に加えられると、土台下面固定板１６と土台２２は、ボール３４の転動により、共に右方向又は左方向に相対的に移動する。なお、図１０においては、理解しやすくするため基礎２８が静止して土台下面固定板１６と土台２２が移動する状態が示されているが、基礎２８が移動して土台下面固定板１６と土台２２が静止していてもよい。こうして、横揺れ吸収機構３２がボール３４の転動により土台下面固定板１６とこれに固定された土台２２の横方向の揺れを吸収するようになっている。
【００５３】
図１１は、本発明による耐震補強構造にジャッキ支持機構を組み合わせた状態の一例を示す概略側面図である。
【００５４】
建築物の大引５４とベタ基礎５６の間にジャッキ支持機構５８が設けられている。
【００５５】
ジャッキ支持機構５８は、ジャッキ束６０、ジャッキ下面固定板６４、及び横揺れ吸収機構６２からなる。ジャッキ束６０の上部は大引５４に取り付けられていて、ジャッキ束６０の下部はジャッキ下面固定板６４に溶接により固定されている。横揺れ吸収機構６２は、ジャッキ下面固定板６４に対向してベタ基礎５６の上面に配置された基礎上面固定板６８と、その基礎上面固定板６８の上面に設けられた多数のボール６６を含む。ボール６６と基礎上面固定板６８の構成は図１のボール３４と基礎上面固定板３６の構成とそれぞれ同じであるので説明を省略する。
【００５６】
耐震補強構造１０とジャッキ支持機構５８を組み合わせて用いることにより、耐震補強構造１０の土台下面固定板が土台とともに上下方向及び横方向に十分に移動可能となるため、上下方向及び横方向の揺れを十分に吸収することが可能となる。
【００５７】
図１２は、本発明による耐震補強構造の変形例を示す概略部分側断面図である。図１２に示された耐震補強構造において、図１に示された耐震補強構造と同一の部材には同一の参照符号を付し、同様な機能を有する部材には先頭に２を加えた参照符号を付してある。
【００５８】
図１の耐震補強構造と特に異なる点を説明する。耐震補強構造２１０は、幅広の土台２２２及び土台下面固定板２１６と、直径の大きな短い圧縮バネを有している。土台下面固定板２１６の幅は基礎上面固定板２３６の幅よりも大きく構成されていて、ボール３４が広範囲で動くことにより、土台下面固定板２１６と土台２２２が基礎２２８に対して大きく横揺れできるようになっている。なお、圧縮バネ２１４は、自動車解体部品をリサイクルして使用することも可能である。
【００５９】
寸法の一例を挙げると、基礎２２８から圧縮バネ２１４の上面までの長さｈ２は１５０ｍｍ、土台２２２の幅ｗ２は１５０ｍｍ、土台２２２の穴２２２ａの寸法ｄ３は１１０ｍｍである。その他、例えば圧縮バネ２１４の直径は１０５ｍｍ、土台２２２の高さは１０５ｍｍである。
【００６０】
図１３〜図１７を参照して本発明の別の実施例を説明する。
【００６１】
図１３は、本発明による耐震補強構造を建築物に適用した別の例を示す概略部分側断面図である。図１４は、第１支持体の一例を示す上面図である。図１５は、第２支持体の一例を示す上面図である。
【００６２】
耐震補強構造３１０は、座金３１２、強化バネ３１４、土台下面固定板３１６、アンカーボルト３１８、土台３２２、基礎３２８、横揺れ吸収機構３３２を含む。
【００６３】
座金３１２は、本発明における第１支持体に対応しており、鉄板からなる。座金３１２の中央には、アンカーボルト３１８のための穴３１２ａが設けられている。座金３１２は、穴３１２ａを介して後述するアンカーボルト３１８の上端部に固定されている。寸法の一例を挙げると、座金３１２の縦の長さｗ９と横の長さｗ１０はともに７５ｍｍ、厚さは３ｍｍ、穴の径ｄ５は１３ｍｍである。
【００６４】
強化バネ３１４は、本発明における圧縮バネに対応しており、アンカーボルト３１８に沿って座金３１２および土台下面固定板３１６間に配置されており、上下方向に延在している。強化バネ３１４は、座金３１２と溶接するのが好ましい。寸法の一例を挙げると、強化バネ３１４の内径ｄ６は４５ｍｍである。
【００６５】
強化バネ３１４の下端には、土台下面固定板３１６が配置されている。土台下面固定板３１６は、本発明の第２支持体に対応しており、鉄板からなる。強化バネ３１４は、土台下面固定板３１６上の複数の円で示された領域３１６ｂに溶接するのが好ましい。
【００６６】
土台下面固定板３１６は、ビス３２４により土台３２２の下面に固定されている。土台下面固定板３１６の上面は、建築物の土台３２２を下方に引っ張りながら支持するために使用される。土台下面固定板３１６は、アンカーボルト３１８を内部に収容するための又は貫通させるための穴３１６ａを有し、アンカーボルト３１８が穴３１６ａと強化バネ３１４の内部で横方向に相対的に移動可能に構成されている。穴３１６ａの寸法は、少なくとも土台下面固定板３１６の横方向の揺れに対応できる程度の大きさを有し、好ましくは土台下面固定板３１６の穴３１６ａの寸法は土台３２２の幅の３分の１よりも大きい。寸法の一例を挙げると、土台３２２の幅は１０５ｍｍ、土台下面固定板３１６の縦の長さｗ１１は１２０ｍｍ、横の長さｗ１２は２５０ｍｍ、厚さは３ｍｍ、穴３１６ａの寸法ｄ７は６０ｍｍである。
【００６７】
土台３２２は、アンカーボルト３１８を貫通させた形で基礎３２８の上面に沿って配置された木製の土台である。土台３２２は、アンカーボルト３１８と強化バネ１４の両方を貫通させるための穴３２２ａを有している。土台３２２の穴３２２ａの寸法は土台３２２の幅の３分の１よりも大きい。寸法の一例を挙げると、土台３２２の幅と高さはともに１０５ｍｍ、穴３２２ａの寸法は５５ｍｍである。
【００６８】
土台３２２の上面には、土台上面補強板３３０がビス３２４により固定されている。土台上面補強板３３０の中央に設けられた穴３３０ａを強化バネ３１４が通るようになっている。図１３に示された実施例において土台上面補強板３３０の設置は任意である。図１６は、土台上面補強板の一例を示す上面図である。寸法の一例を挙げると、土台上面補強板３３０の縦の長さｗ１３は９０ｍｍ、横の長さｗ１４は２００ｍｍ、厚さは３ｍｍである。
【００６９】
アンカーボルト３１８は、本発明のアンカーに対応しており、基礎３２８に所定の間隔で上向きに複数固定されている。アンカーボルト３１８は、更に、ナット３２６を介して座金３１２に固定されていて、強化バネ３１４と土台下面固定板３１６を通過するとともに上下方向に延在している。アンカーボルト３１８は、建築物の基礎３２８に対して座金３１２を固定するために使用されている。アンカーボルト３１８に対するナット３２６の固定位置を調整することにより、強化バネ３１４の圧縮の度合が調整されるようになっている。
【００７０】
土台下面固定板３１６および基礎３２８間には、アンカーボルト３１８を貫通させた形で横揺れ吸収機構３３２が配置されている。
【００７１】
横揺れ吸収機構３３２は、複数のボール３３４の転動により基礎３２８に対する土台３２２および土台下面固定板３１６の横方向の揺れを吸収するものであり、土台下面固定板３１６に対向して基礎３２８の上面に配置された基礎上面固定板３３６と、その基礎上面固定板３３６の上面に設けられた複数のボール３３４を含む。複数のボール３３４は土台下面固定板３１６の下面および基礎上面固定板３３６の上面間に配置されている。
【００７２】
図１７は、横揺れ吸収機構の一例を示す上面図である。
【００７３】
基礎上面固定板３３６は、土台下面固定板３１６に対向して配置されており、カールプラグ３３８を介してビス３４０により建築物の基礎３２８に固定されている。
【００７４】
基礎上面固定板３３６の上面には２つの突出防止金具３４２が間隔を空けて設けられている。突出防止金具３４２は、矩形の箱型に形成されていて、箱型の開放部分を下向きにして基礎上面固定板３３６に固定させて用いられる。突出防止金具３４２の箱型の底面部分３４２ａには、複数の穴が設けられていて、複数の穴から各々ボール３１４の一部が突出している。突出防止金具３４２により、ボール３１４が回転してもボール３１４の位置が動かないようになっている。基礎上面固定板３３６の中央には、アンカーボルト３１８のための穴３３６ａが設けられている。土台下面固定板３１６と基礎上面固定板３３６が相対的に移動すると、ボール３３４が回転して土台下面固定板３１６と基礎上面固定板３３６の間の横方向の揺れが安定かつ確実に吸収されるようになっている。寸法の一例を挙げると、基礎上面固定板３３６の縦の長さｗ１３は９０ｍｍ、横の長さｗ１４は２００ｍｍ、厚さは３ｍｍ、穴３３６ａの径ｄ８は１３ｍｍ、基礎３２８の幅は１５０ｍｍである。
【００７５】
図１８は、本発明による耐震補強構造にジャッキ支持機構を組み合わせた状態の別の例を示す概略側面図である。図１９は、図１８のＣ部を拡大した概略部分断面図である。図２０は、ジャッキ束下面固定板の一例を示す概略上面図である。図２１は、基礎上面固定板の一例を示す概略上面図である。なお、図１９においては、見やすくするためのハッチングを省略してある。
【００７６】
建築物の大引３５４とベタ基礎３５６の間にジャッキ支持機構３５８が設けられている。
【００７７】
ジャッキ支持機構３５８は、ジャッキ束３６０、ジャッキ束下面固定板３６４、及び横揺れ吸収機構３６２からなる。ジャッキ束３６０の上部は大引３５４に取り付けられていて、ジャッキ束３６０の下部はジャッキ束下面固定板３６４に溶接により固定されている。横揺れ吸収機構３６２は、ジャッキ束下面固定板３６４に対向してベタ基礎３５６の上面に配置された基礎上面固定板３６８と、その基礎上面固定板３６８の上面に設けられた多数のボール３６６を含む。ボール３６６と基礎上面固定板３６８の機能は図１３のボール３３４と基礎上面固定板３３６の構成とそれぞれほぼ同じであるので説明を省略する。
【００７８】
基礎上面固定板３６８の上面には突出防止金具３７０が設けられている。突出防止金具３７０は、矩形の箱型に形成されていて、箱型の開放部分を下向きにして基礎上面固定板３６８に固定させて用いられる。突出防止金具３７０の箱型の底面部分３７０ａには、複数の穴が設けられていて、複数の穴から各々ボール３６６の一部が突出している。突出防止金具３７０により、ボール３６６が回転してもボール３６６の位置が動かないようになっている。ジャッキ束下面固定板３６４と基礎上面固定板３６８が相対的に移動すると、ボール３６６が回転してジャッキ束下面固定板３６４と基礎上面固定板３６８の間の横方向の揺れが安定かつ確実に吸収されるようになっている。寸法の一例を挙げると、ジャッキ束下面固定板３６４の縦の長さｗ１５と横の長さｗ１６はともに１２０ｍｍ、基礎上面固定板３６８の縦の長さｗ１７と横の長さｗ１８はともに１００ｍｍである。なお、図１１に示された例と異なり、大引は４５ｍｍ引き上げられている。
【００７９】
耐震補強構造１０とジャッキ支持機構３５８を組み合わせて用いることにより、耐震補強構造１０の土台下面固定板が土台とともに上下方向及び横方向に十分に、安定かつ確実に移動可能となるため、上下方向及び横方向の揺れを十分に吸収することが可能となる。
【００８０】
本発明は図示された実施例に限定されない。
【図面の簡単な説明】
【００８１】
【図１】本発明による耐震補強構造を建築物に適用した例を示す概略部分側断面図である。
【図２】第１支持体の一例を示す上面図である。
【図３】第２支持体の一例を示す上面図である。
【図４】土台上面補強板の一例を示す上面図である。
【図５】横揺れ吸収機構の一例を示す上面図である。
【図６】本発明による耐震補強構造の使用例を示す概略側面図である。
【図７】上下方向に揺れた場合の耐震補強構造の作用の一例を示す。
【図８】上下方向に揺れた場合の耐震補強構造の作用の一例を示す。
【図９】横方向に揺れた場合の耐震補強構造の作用の一例を示す。
【図１０】横方向に揺れた場合の耐震補強構造の作用の一例を示す。
【図１１】本発明による耐震補強構造にジャッキ支持機構を組み合わせた状態の一例を示す概略側面図である。
【図１２】本発明による耐震補強構造の変形例を示す概略部分側断面図である。
【図１３】本発明による耐震補強構造を建築物に適用した別の例を示す概略部分側断面図である。
【図１４】第１支持体の一例を示す上面図である。
【図１５】第２支持体の一例を示す上面図である。
【図１６】土台上面補強板の一例を示す上面図である。
【図１７】横揺れ吸収機構の一例を示す上面図である。
【図１８】本発明による耐震補強構造にジャッキ支持機構を組み合わせた状態の別の例を示す概略側面図である。
【図１９】図１８のＣ部を拡大した概略部分断面図である。
【図２０】ジャッキ束下面固定板の一例を示す概略上面図である。
【図２１】基礎上面固定板の一例を示す概略上面図である。
【符号の説明】
【００８２】
１０  耐震補強構造
１２  バネ固定板（第１支持体）
１２ａ、１６ａ、３０ａ、３６ａ  穴
１４  圧縮バネ
１６  土台下面固定板（第２支持体）
１６ｂ  領域
１８  アンカーボルト（アンカー）
２０  バネ受
２２  土台
２４、４０  ビス
２６  ナット
２８  基礎
３０  土台上面補強板
３２、６２  横揺れ吸収機構
３４、６６  ボール
３６、６８  基礎上面固定板
３８  カールプラグ
４２  枠
４４  建築物
４６  タタミの配置位置
５０  タタミ仕上り面
５２  柱
５４  大引
５６  ベタ基礎
５８  ジャッキ支持機構
６０  ジャッキ束
６４  ジャッキ下面固定板
【図１】
2006225972.tif 000003
【図２】
2006225972.tif 000004
【図３】
2006225972.tif 000005
【図４】
2006225972.tif 000006
【図５】
2006225972.tif 000007
【図６】
2006225972.tif 000008
【図７】
2006225972.tif 000009
【図８】
2006225972.tif 000010
【図９】
2006225972.tif 000011
【図１０】
2006225972.tif 000012
【図１１】
2006225972.tif 000013
【図１２】
2006225972.tif 000014
【図１３】
2006225972.tif 000015
【図１４】
2006225972.tif 000016
【図１５】
2006225972.tif 000017
【図１６】
2006225972.tif 000018
【図１７】
2006225972.tif 000019
【図１８】
2006225972.tif 000020
【図１９】
2006225972.tif 000021
【図２０】
2006225972.tif 000022
【図２１】
2006225972.tif 000023